(57)【特許請求の範囲】
【請求項１】
表表紙と裏表紙と背とを有する一枚の紙片と、
ほぼ同一の大きさの紙片が前記背に糊付けされ綴じられて構成された本体冊子部と、
前記本体冊子部の下に配置され前記背に糊付けされ綴じられると共に小口側が断裁された小冊子部とを備え、
前記小冊子部は前記本体冊子部よりも小さい幅を有し、
前記小冊子部は前記裏表紙の上に位置し該裏表紙とほぼ同じ幅の複数の紙片で構成され、
前記表表紙と裏表紙と本体冊子部と小冊子部は、小冊子部の小口側を除いて三方断裁することで製作される、
ことを特徴とする小冊子付き無線綴じ本。
【請求項２】
前記裏表紙は、前記小冊子部とほぼ同じ幅でその背が綴じられた基片と、この基片に折れ線を介して接続され該基片よりも小さい幅の折り返し片とにより構成され、前記折り返し片は前記折れ線から折り返されて前記基片の上に挿入される請求項１記載の小冊子付き無線綴じ本。
【請求項３】
前記小冊子部に臨む前記本体冊子部の紙片は、前記小冊子部の幅よりも大きく且つ本体冊子部の幅よりも小さい幅でその背が綴じられた基片と、この基片に折れ線を介して接続された折り返し片とにより構成され、前記折り返し片は前記折れ線から折り返されて前記基片の上に挿入され、または下に添えられる請求項１または２記載の小冊子付き無線綴じ本。
【請求項４】
前記裏表紙と、小冊子部に臨む前記本体冊子部の紙片には、連続した絵模様が形成されている請求項１，２または３記載の小冊子付き無線綴じ本。
【請求項５】
前記小冊子部は、前記本体冊子部のほぼ半分の幅で形成されている請求項１，２，３または４記載の小冊子付き無線綴じ本。
【発明の詳細な説明】
【０００１】
【産業上の利用分野】
本発明は小冊子付き無線綴じ本に関する。
【０００２】
【従来の技術】
従来の本は、表表紙と裏表紙の間に多数の紙片が綴じられ、これら表表紙と裏表紙と多数の紙片はほぼ同一の大きさで形成されており、購買者にとって本は外観上単一の冊子として視認されている。
【０００３】
【発明が解決しようとする課題】
しかしながら、このような従来の本の構造では、本に更に実用的価値や、面白さ等を付加しようとしても、購買者にとっては単一の冊子として視認されるに過ぎないため限度があった。
本発明は前記事情に鑑み案出されたものであって、本発明の目的は、実用的価値を高め、また、面白さ等を付加できる小冊子付き無線綴じ本を提供することにある。
また、本発明の目的は、実用的価値を高め、面白さ等を付加でき、しかも、取り扱いに便利な小冊子付き無線綴じ本を提供することにある。
【０００４】
【課題を解決するための手段】
前記目的を達成するため、本発明に係る小冊子付き無線綴じ本は、表表紙と裏表紙と背とを有する一枚の紙片と、ほぼ同一の大きさの紙片が前記背に糊付けされ綴じられて構成された本体冊子部と、前記本体冊子部の下に配置され前記背に糊付けされ綴じられると共に小口側が断裁された小冊子部とを備え、前記小冊子部は前記本体冊子部よりも小さい幅を有し、前記小冊子部は前記裏表紙の上に位置し該裏表紙とほぼ同じ幅の複数の紙片で構成され、前記表表紙と裏表紙と本体冊子部と小冊子部は、小冊子部の小口側を除いて三方断裁することで製作されることを特徴とする。
【０００５】
また、本発明は、前記裏表紙が、前記小冊子部とほぼ同じ幅でその背が綴じられた基片と、この基片に折れ線を介して接続され該基片よりも小さい幅の折り返し片とにより構成され、前記折り返し片は前記折れ線から折り返されて前記基片の上に挿入されることを特徴とする。
また、本発明は、前記小冊子部に臨む前記本体冊子部の紙片が、前記小冊子部の幅よりも大きく且つ本体冊子部の幅よりも小さい幅でその背が綴じられた基片と、この基片に折れ線を介して接続された折り返し片とにより構成され、前記折り返し片は前記折れ線から折り返されて前記基片の上に挿入され、または下に添えられることを特徴とする。
また、本発明は、前記裏表紙と、小冊子部に臨む前記本体冊子部の紙片には、連続した絵模様が形成されていることを特徴とする。
また、本発明は、前記小冊子部が、前記本体冊子部のほぼ半分の幅で形成されていることを特徴とする。
【０００６】
【作用】
小冊子付き無線綴じ本は、本体冊子部と小冊子部とからなり、二つの冊子として視認されるので、従来の単一の冊子として視認される本に較べて、本の実用的価値を高め、面白さ等を本に付加することが可能となる。
【０００７】
【実施例】
以下、本発明の実施例を添付図面に従って説明する。
図１は小冊子付き本の斜視図、図２は小冊子の表表紙を開いた状態の本の斜視図、図３は表表紙を開き折り返し片を展開した状態の本の斜視図を示す。
１は小冊子付き無線綴じ本で、実施例では小冊子付き本１は、月刊誌、或は週刊誌である。
小冊子付き本１は、本体冊子部３と、この本体冊子部３の上に設けられた小冊子部５で構成され、小冊子部５を構成する紙片のうち最も上に位置する紙片が表表紙７で、本体冊子部３を構成する紙片のうち最も下に位置する紙片が裏表紙９である。
表表紙７と裏表紙９と背１１は一枚の紙片で形成され、本体冊子部３は、同一の大きさの多数の折り丁１３が背１１に糊付けされ綴じられ、また、小冊子部５は、同一の大きさの複数の折り丁１５が背１１に糊付けされ綴じられて構成されている。
【０００８】
前記小冊子部５の幅Ｗ５は本体冊子部３の幅Ｗ３よりも小さい寸法で形成され、実施例では本体冊子部３の幅Ｗ３のほぼ１／２に形成されている。
前記表表紙７は、図３に示すように、小冊子部５の幅Ｗ５よりも大きい幅Ｗ７で形成されている。
前記表表紙７は、背１１側に位置する基片２１と、この基片２１に折れ線２３を介して接続された折り返し片２５により形成されている。
前記基片２１の幅Ｗ２１は、小冊子部５の幅Ｗ５とほぼ同じ寸法で形成されている。
また、折り返し片２５の幅Ｗ２５は、図２に示すように、折れ線２３から折り畳んだ状態でその先端２５Ｅが背１１に近付く寸法で形成され、折り返し片２５は、折れ線２３から基片２１の裏面２１Ｂに折り返される。
【０００９】
また、本体冊子部３を構成する紙片のうち最も上に位置する紙片２９は、図５に示すように、本体冊子部３の幅Ｗ３よりも大きい幅Ｗ２９で形成されている。
前記紙片２９は、背１１側に位置する基片３１と、この基片３１に折れ線３３を介して接続された折り返し片３５により形成されている。
前記基片３１の幅Ｗ３１は、本体冊子部３の幅Ｗ３よりも若干小さい寸法で形成されている。
また、折り返し片３５の幅Ｗ３５は、折れ線３３から折り畳んだ状態でその先端が背１１に近付く寸法で形成され、折り返し片３５は、折れ線３３から基片３１の裏面に折り返される。
【００１０】
図１に示すように、小冊子付き本１を購買者が見た時、表表紙７の基片２１の表面２１Ａと、本体冊子部３の基片３１の表面３１Ａで前記基片２１の小口側に露出する部分３１Ｆとで小冊子付き本１の表紙が構成されることになる。
そして、実施例では、表表紙７の基片２１の表面２１Ａと、前記本体冊子部３の基片部分３１Ｆにわたり絵模様が連続するように、基片２１の表面２１Ａと基片部分３１Ｆにそれぞれ絵模様が形成されている。
【００１１】
また、実施例では、図２に示すように、折り返し片２５が折り返された状態で表表紙７を開いた時、折り返し片２５の表面２５Ａと、表表紙７の直下に位置する小冊子部５の紙片４１の表面４１Ａと、前記本体冊子部３の基片部分３１Ｆにわたり絵模様が連続するように、折り返し片２５の表面２１Ａと紙片４１の表面４１Ａにそれぞれ絵模様が形成されている。
また、実施例では、図３に示すように、表表紙７を開いて、折り返し片２５を展開した状態で、基片２１の裏面２１Ｂと、折り返し片２５の裏面２５Ｂと、前記小冊子部５の紙片４１の表面４１Ａと、前記本体冊子部３の基片部分３１Ｆにわたり絵模様が連続するように、基片２１の裏面２１Ｂと、折り返し片２５の裏面２５Ｂにそれぞれ絵模様が形成されている。
なお、折り返し片２５を展開した状態で、折り返し片２５の表面２５Ａと基片２１の表面２１Ａで絵模様が連続するように形成する等任意である。
【００１２】
更に、実施例では、図４に示すように、折り返し片２５を展開した状態で小冊子部５全体を開いた時に、折り返し片２５の裏面２５Ｂと、小冊子部５の最も下方に位置する紙片４３の裏面４３Ｂと、基片３１の表面３１Ａにわたり絵模様が連続するように、折り返し片２５の表面２１Ａと紙片４３の裏面４３Ｂと基片３１の表面３１Ａにそれぞれ絵模様が形成されている。
また、実施例では、図５に示すように、図４の状態から折り返し片３５を展開した状態で、折り返し片２５の裏面２５Ｂと、小冊子部５の紙片４３の裏面４３Ｂと、基片３１の表面３１Ａと、折り返し片３５の表面３５Ａにわたり絵模様が連続するように、折り返し片３５の表面３５Ａに絵模様が形成されている。
【００１３】
尚、このような構成の小冊子付き本１は、例えば、予め小冊子部５の折り丁１５の小口側を断裁しておき、この折り丁１５を本体冊子部３の折り丁１３と共にその背を揃えて重ね合わせ、表表紙７と裏表紙９を構成する一枚の紙片の背１１に糊付けして綴じ、各折り返し片２５，３５を折り返し、その後、三方断裁することで製作される。
【００１４】
本実施例によれば、小冊子付き本１は本体冊子部３と小冊子部５で構成され、購買者にとって二つの冊子として視認されるので、単一の冊子として視認される従来の本に較べて、本の実用的価値を高め、また、面白さ等を付加することが可能となり、購買者の購買意欲を喚起し本の販売量を増大することができる。
特に小冊子部５は本の幅よりも狭く、手全体を大きく動かさずに小さな動作で頁を開くことができ、実施例では本体冊子部３の幅の約半分となっており指だけの動作で開くことができる。従って、小冊子部５の存在で面白さ等を付加して購買者の興味を引いた際に、購買者が小冊子部５を開く時の精神的抵抗を低減し、より容易に小冊子部５の内容を読ませて購買意欲を喚起することが可能となり、本の購売量を増大させることができる。
【００１５】
また、図２及び図３の如く、表表紙７を開いた場合、或は、表表紙７を開いて折り返し片２５を展開した場合、表紙という目立つ部分において、しかも、二つの冊子部３，５にわたり、幅Ｗ２１と幅Ｗ３１を加えた幅を、或は、幅Ｗ２１と幅Ｗ３１に幅Ｗ２５を加えた幅を１つの面として構成することが可能である。
この面の機能は、従来は表紙の次頁に折り込み頁を配置することでなされていたが、本実施例では表紙という目立つ部分において、しかも、二つの冊子部３，５にわたり面が構成されるため、従来の折り込み頁に比べて、格段と購買者の注意を引き付け、鮮烈な印象や面白さ等を与えることが可能となる。
この面は特集頁、グラビア写真頁、目次頁、公告頁等に使用されるが、スペースを大きくすることで文字の大きさ、写真のレイアウト等の自由度が大きくなり、また、開き易く購買者が見やすくなり、従来の折り込み頁より購買者の注意を引き付けることが可能であり、購買者の購買意欲を喚起し、本の販売量を増大することができる。
更に、広告等に使用する際には、より購買者の注目を集める部分に、より大きなスペースで広告を掲載することが可能となり、広告収入の増大を図ることも可能である。
その際は、表表紙７の基片２１の幅Ｗ２１を本体冊子部３の幅Ｗ３１より若干だけ小さくすることで最大のスペースを確保しても良い。ただしその際は、二つの冊子部３，５で構成されている特徴が目立たなくなるという問題が発生する。
【００１６】
また、実施例では、表表紙７の基片２１の表面２１Ａと、本体冊子部３の基片部分３１Ｆにわたり連続した絵模様が形成されるので、従来の表紙自体の有する購買者の注目性、識別性機能を損なうことが無いことは無論のこと、小冊子部５と本体冊子部３との二つの冊子部により表紙の前記機能が発揮されることから、購買者の注意を格段と引き付け、雑誌名や、月刊誌、週刊誌の表紙等で用いられる年間を通じて一つのイメージで統一された絵模様など、表紙の注目性、識別性機能をより強く発揮させることが可能となる。
ここで、連続した絵模様とは、絵、写真、文字記号等を含み、文字の中にはタイトル、本の名称、見出し等が、記号の中には、商号、商標、サービスマーク等が含まれる。
【００１７】
また、図５に示すように、小冊子部５全体を開き、更に折り返し片３５を展開した場合、本体冊子部３の先頭頁という目立つ部分において、しかも、二つの冊子部３，５にわたり、幅Ｗ５に幅Ｗ３１と幅Ｗ３５を加えた幅を、或は、幅Ｗ７に幅Ｗ３１と幅Ｗ３５を加えた幅を１つの面として構成することが可能であり、前記小冊子部５の折り返し片２５の場合と同様に、従来の折り込み頁に比べて、格段と購買者の注意を引き付け、鮮烈な印象や面白さ等を与えることが可能となる。
【００１８】
この場合、小冊子部５の折り返し片２５と本体冊子部３の折り返し片３５は反対方向に折ってあるため、片手で折り返し片２５，３５を展開して表表紙７と紙片２９を開いていくことが可能となる。
また、折り返し片２５，３５は折り方向が反対のため、元の状態に戻ることができず一旦開けば、その開いた状態が保持される。これは店頭において読者が片手に荷物を持ちながら開く際に、より有利な効果を奏する。
【００１９】
また、実施例では、小冊子部５の幅Ｗ５を本体冊子部３の幅Ｗ３のほぼ１／２に形成したので、小冊子付き本１は本体冊子部３の上に小冊子部５が膨出しているにも拘らず、積み重ねる際に上下に位置する小冊子付き本１の表表紙７側を向かい合わせ、一方の小冊子付き本１の小冊子部５を他方の小冊子付き本１の本体冊子部３に合わせるようにすれば、多数の小冊子付き本１を安定して積み重ねることが可能となり、取り扱いに便利となる。
【００２０】
尚、実施例のように複数の紙片、或は部分にわたって形成した連続した絵模様は、無論連続しない全く異なった絵模様としてもよい。
その場合、例えば図５の折り返し片２５の裏面２５Ｂ、小冊子部５の紙片４３の裏面４３Ｂ、基片３１の表面３１Ａ、折り返し片３５の表面３５Ａが各々独立した絵模様を有している。
また、本実施例では、小冊子部３と本体冊子部５との二つの冊子部で小冊子付き本１を構成した場合について説明したが、例えば、小冊子部５と本体冊子部３との間に、小冊子部５の幅Ｗ５よりも大きく、本体冊子部３の幅Ｗ３よりも小さい幅の別の小冊子を設ければ三つの冊子部で構成することができ、小冊子付き本１を構成する冊子部の数は実施例のように二つに限定されない。
【００２１】
また、前記実施例では本発明を表表紙に適用した場合について述べたが、本発明は裏表紙に適用しても良い。その際の構成は実施例の表表紙７を裏表紙とし、裏表紙９を表表紙とすれば良い。ただし、本発明を裏表紙に適用した場合、購買者の注意を引き付け、鮮烈な印象を与える効果は、表表紙と比較して小さいものとなるが、本において表表紙の次に目立つ裏表紙に大きな幅を有する面を構成することは、表表紙と同様に需要者の購買意欲を喚起し、本の購売量を増大することができる。更に、裏表紙は往々にして広告に使用されるが、比較的需要者の注目を集める部分に、より大きなスペースで広告を掲載することが可能となり、広告収入の増大を図ることも可能である。
無論、本発明は一冊の本において、表表紙と裏表紙の両方に、同時に適用しても良い。
【００２２】
【発明の効果】
以上の説明で明らかなように、本発明に係る小冊子付き無線綴じ本は、表表紙と裏表紙と背とを有する一枚の紙片と、ほぼ同一の大きさの紙片が前記背に糊付けされ綴じられて構成された本体冊子部と、前記本体冊子部の下に配置され前記背に糊付けされ綴じられると共に小口側が断裁された小冊子部とを備え、前記小冊子部は前記本体冊子部よりも小さい幅を有し、前記小冊子部は前記裏表紙の上に位置し該裏表紙とほぼ同じ幅の複数の紙片で構成され、前記表表紙と裏表紙と本体冊子部と小冊子部は、小冊子部の小口側を除いて三方断裁することで製作される。
そのため、小冊子付き無線綴じ本は、本体冊子部と小冊子部との二つの冊子として視認されるので、従来の単一の冊子として視認される本に較べて、本の実用的価値を高め、面白さ等を本に付加することが可能となり、購買者の購買意欲を喚起し、本の販売量を増大することができる。
【図面の簡単な説明】
【図１】  小冊子付き無線綴じ本の斜視図である。
【図２】  表表紙を開いた状態の本の斜視図である。
【図３】  表表紙を開き折り返し片を展開した状態の本の斜視図である。
【図４】  小冊子部全体を開いた状態の本の斜視図である。
【図５】  小冊子部全体を開き折り返し片を展開した状態の本の斜視図である。
【符号の説明】
１  小冊子付き無線綴じ本
３  本体冊子部
５  小冊子部
７  表表紙
９  裏表紙
２１  基片
２３  折れ線
２５  折り返し片
３１  基片
３３  折れ線
３５  折り返し片
【図１】
0003734083.tif 000002
【図２】
0003734083.tif 000003
【図３】
0003734083.tif 000004
【図４】
0003734083.tif 000005
【図５】
0003734083.tif 000006